(57)【要約】【課題】本発明の課題は、ステアリングの端当て付近において、操舵フィーリングを悪化させることなく、モータ及び三相インバータの発熱量を抑制することができる電動パワーステアリング装置を提供することにある。【解決手段】ブラシレスモータ３と、ブラシレスモータ３を駆動する三相電流を制御する複数の半導体素子を有する三相インバータ４とを備えた電動パワーステアリング装置において、ステアリング操舵時の最大操舵角において三相インバータ４を流れる三相電流が、いずれも最大電流値未満となるように制御することにより、三相インバータ４が最大操舵角時にその発熱を低減することで課題を解決する。【選択図】図１
2005289296.tif 000002
【特許請求の範囲】
【請求項１】
ブラシレスモータと、該ブラシレスモータを駆動する三相電流を制御する複数の半導体素子を有する三相インバータとを備えた電動パワーステアリング装置において、
ステアリングが最大操舵角付近に達した時、前記三相インバータに流れる三相電流を、シフトすることにより、いずれも所定トルクにおける最大電流値未満となるように制御することを特徴とする電動パワーステアリング装置。
【請求項２】
前記三相インバータは、前記ブラシレスモータに供給される前記三相電流をＰＷＭ信号に基づいて制御するためのスイッチング素子を有し、
前記三相電流をシフトするとは、前記ＰＷＭ信号のデューティ値をシフトすることであることを特徴とする請求項１に記載の電動パワーステアリング装置。
【請求項３】
前記操舵角を舵角センサで検出することを特徴とする請求項１又は２に記載の電動パワーステアリング装置。
【請求項４】
前記ブラシレスモータの回転位置を検出するレゾルバを有し、
前記操舵角を前記レゾルバの出力に基づいて検出することを特徴とする請求項１から３のいずれか１つに記載の電動パワーステアリング装置。
【請求項５】
ブラシレスモータと、該ブラシレスモータを駆動する三相電流を制御する複数の半導体素子を有する三相インバータと、該ブラシレスモータの回転位置を検出するレゾルバとを備えた電動パワーステアリング装置の組み付け方法において、
ステアリングが最大操舵角付近に達した時に、前記三相インバータを流れる三相電流が、いずれも最大電流値未満となるように、前記ブラシレスモータ及び前記レゾルバをステアリング軸に組み付けることを特徴とする電動パワーステアリング装置の組み付け方法。
【発明の詳細な説明】
【技術分野】
【０００１】
本発明は、ドライバがステアリングを操舵するときにその操舵力をアシストする電動パワーステアリング装置及び電動パワーステアリング装置の組み付け方法に関するものである。
【背景技術】
【０００２】
従来より、ドライバのステアリング操作における操舵力をブラシレスモータによりアシストする電動パワーステアリング装置が知られている。この電動パワーステアリング装置は、ステアリングに加わる操舵トルクの大きさに応じてブラシレスモータを駆動させることで、操舵トルクを補助している。また、車の発進時あるいは駐車時すなわち低速走行時ないし略停止時にステアリングの操舵角が最大になることがある。（一般にこれを「端当て」という。）この端当て付近では、ブラシレスモータの駆動を制御するための三相インバータの一相に集中して電流が流れることがある。さらに、端当て付近では、ステアリングに加わる操舵力が大きくなるため、ブラシレスモータを駆動する三相インバータに大きな電流が流れる。
【０００３】
この影響により、端当て付近において、集中して電流が流れる三相インバータの一相の発熱量が増大してその信頼性に影響を及ぼす恐れがある。この問題を解決する対策の１つとしてステアリングの操舵角が所定角度に達すると、三相インバータの駆動を停止したり、三相インバータの全相に供給する電流を制限することが知られている（例えば、特許文献１参照。）。
【特許文献１】特開昭６１−１８４１７１号公報
【発明の開示】
【発明が解決しようとする課題】
【０００４】
しかしながら、このような電動パワーステアリング装置においては、操舵角が所定値を越えると三相インバータを停止させたり、全相に供給する電流を制限するために、ステアリングが急に重く感じてドライバの操舵に大きな力が必要になり、操舵フィーリングが悪化してしまうという問題を生じる。
【０００５】
本発明の課題は、ステアリングの端当て付近において、操舵フィーリングを悪化させることなく、三相インバータの発熱量、さらにはモータの発熱量を制限することができる電動パワーステアリング装置を提供することにある。
【課題を解決するための手段及び発明の効果】
【０００６】
上記課題を解決するために、請求項１では、ブラシレスモータと、ブラシレスモータを駆動する三相電流を制御する複数の半導体素子を有する三相インバータとを備えた電動パワーステアリング装置において、ステアリングが最大操舵角付近に達した時、三相インバータに流れる三相電流を、シフトすることにより、いずれも所定トルクにおける最大電流値未満となるように制御することを特徴としている。
【０００７】
このようにすると、ステアリングの最大操舵角付近において、三相インバータに最大電流が流れないため、三相インバータの発熱量を制限することができる。さらに、ステアリングの最大操舵角付近に達した時に、三相電流をシフトすることにより、操舵補助力が急激に減少せず、操舵フィーリングの悪化を招くことを抑制できる。
【０００８】
また、請求項２では、三相インバータは、ブラシレスモータに供給される三相電流をＰＷＭ信号に基づいて制御するためのスイッチング素子を有し、三相電流をシフトするとは、ＰＷＭ信号のデューティ値をシフトすることであることを特徴としている。このようにすると、ＰＷＭ信号のデューティ値、すなわちパルス幅を変化することにより、精度良く制御することができる。
【０００９】
また、請求項３では、前記操舵角を舵角センサで検出することを特徴としている。このようにすると、最大舵角を適確に検出して、三相インバータに流れる電流を精確に制御することができる。
【００１０】
また、請求項４では、ブラシレスモータの回転位置を検出するレゾルバを有し、操舵角をレゾルバの出力に基づいて検出することを特徴としている。このようにすると、舵角センサが不要となり、コスト及び部品点数の低減を図ることができる。
【００１１】
また、請求項５では、ブラシレスモータと、ブラシレスモータを駆動する三相電流を制御する複数の半導体素子を有する三相インバータと、ブラシレスモータの回転位置を検出するレゾルバとを備えた電動パワーステアリング装置の組み付け方法において、ステアリングが最大操舵角付近に達した時に、三相インバータを流れる三相電流が、いずれも最大電流値未満となるように、ブラシレスモータ及びレゾルバをステアリング軸に組み付けることを特徴としている。このようにすると、ステアリングが最大操舵角にあるときに三相電流が最大電流値をとらない信頼性に優れた電動パワーステアリング装置を生産することができる。
【発明を実施するための最良の形態】
【００１２】
以下、添付の図面を参照しつつ本発明の電動パワーステアリング装置の最良形態について説明する。電動パワーステアリング装置にはモータのアシスト力をラックに伝えるラックアシスト型と、そのアシスト力をハンドルコラムに伝えるコラムアシスト型並びにステアリングギヤのピニオンに伝えるピニオンアシスト型がある。ここではコラムアシスト型を例にとって説明する。図１に電動パワーステアリング装置のブロック構成を示す。ステアリング１の操舵はコラムシャフト６を介して操舵角を検出する操舵角センサ（レゾルバ）と操舵トルクを検出するトルクセンサで構成される操舵検出手段２に連結されると共に、ステアリングギア１１を介してタイヤに伝導されて操舵がおこなわれる。このとき、コラムシャフト６に伝導された操舵トルクは、トーションバーのねじれによる入力軸と出力軸の相対的角度差を磁界の変化として検出しそれをコイルで電流の変化として検出する、磁気式トルクセンサ等を使用したトルクセンサの操舵トルク信号に変換されて、マイコン等の使用したデジタル制御方式の制御装置５に入力する。
【００１３】
制御装置５ではこのトルク信号に対応したＰＷＭ（Pulse  Width  Modulation：パルス幅変調）信号を発生して、ブラシレスモータ３のバイポーラ駆動をおこなう６つの半導体素子（「半導体スイッチ」ともいう）、ここではＮチャネルＭＯＳＦＥＴ（Metal-Oxide-Semiconductor）、を有する三相ＰＷＭインバータ４を使用する。その半導体素子ＭＯＳ１〜ＭＯＳ６をゲートに印加されたＰＷＭ信号によって高速でスイッチング（チョッピング）することによって、ブラシレスモータ３を駆動するの位相差が１２０度異なる正弦波状の三相電流Ｕ相、Ｖ相、Ｗ相を発生する。操舵トルクに対応した大きさの実効電流を有する三相電流Ｕ相、Ｖ相、Ｗ相によってブラシレスモータ３は回転し、所要の回転トルクを発生する。このブラシレスモータ３の出力は減速ギア１２を介してステアリングギア１１に伝導されて、運転者の操舵力を低減するアシストをおこなう。
【００１４】
次に本発明の中心課題のその解決方法について説明する。図１においてステアリング１の操舵角θ（ｄｅｇ）はそのコラムシャフトに装着された操舵検出手段２に含まれるレゾルバによって回転位置が検出され、その操舵力及び操舵角θ（ｄｅｇ）に対応して三相ＰＷＭインバータ４は三相電流Ｕ相、Ｖ相、Ｗ相を発生する。この操舵角θ（ｄｅｇ）と三相電流Ｕ相、Ｖ相、Ｗ相の関係は図２に示されるような特性になる。このとき、三相電流Ｕ相、Ｖ相、Ｗ相の各電流の瞬時値は制御装置５から出力されるＰＷＭ信号のPulse  Duty：ＰDTで定まる。図２におけるａ点に最大操舵角が来たときには、各相Ｕ、Ｖ、Ｗの電流値の関係は図３に示されるように、Ｕ相電流が最大値をとりその値を正規化して１とすれば、Ｖ、Ｗ相の電流は逆相でその電流値は０.５になる。このとき、Ｕ相の電力ＰはＰ＝Ｉ２Ｒ（Ｉ：各相の電流値、Ｒ：モータの実効負荷）----(１)の関係から、Ｐ＝１に正規化すると、Ｖ、Ｗ相の電力はＰ＝１/４となり、Ｕ相の四分の一になる。従ってＵ相が流れるＭＯＳＦＥＴの発熱量は、Ｖ、Ｗ相が流れるＭＯＳＦＥＴの発熱量の４倍になってそこに発熱が集中する結果を生む。
【００１５】
仮に、図２におけるｂ点に最大操舵角が来たときには、各相Ｕ、Ｖ、Ｗの電流値の関係は図４に示されるように、Ｕ相電流が０となり、Ｖ、Ｗ相の電流は逆相でその電流値は（√３）/２と等しくなる。このとき、前述の正規化条件を踏襲すると、Ｖ、Ｗ相の電力はＰ＝３/４となり、前述のａ点におけるＵ相の発生電力に対して２５％減となる。このように何れの相の電流に対するＭＯＳＦＥＴにも発熱が集中することが無い。ステアリング１が最大操舵角にあるときには、ドライバがさらに操舵角を増やしたいという心理的要因等によってステアリング１の操舵力（操舵トルク）が高まる恐れがある。三相電流の最大値はこの操舵トルクに応じて増大し操舵力を低減するように働くので、最大電流値にともなうＭＯＳＦＥＴに対する発熱集中は三相ＰＷＭインバータ４の信頼性に影響する可能性がある。このように、最大操舵角において何れの相電流に対しても、最大電流値が流れないようにすることが、三相ＰＷＭインバータ４の信頼性を向上することになる。
【００１６】
次に、最大操舵角時に、三相電流Ｕ相、Ｖ相、Ｗ相が最大電流値未満になるように制御する方法について、図５のフローチャートを使用してそのポイントを説明する。プログラムＰ１で制御がスタートすると、プログラムＰ２で、操舵検出手段２に含まれるレゾルバから送出された操舵角信号を調べて操舵角をモニタする。プログラムＰ３で操舵角が最大操舵角に達すると、プログラムＰ４に至り三相ＰＷＭインバータ４の三相電流Ｕ相、Ｖ相、Ｗ相をモニタする。プログラムＰ５で三相電流Ｕ相、Ｖ相、Ｗ相のいずれかが電流最大値の９０％以上に達すると、プログラムＰ６に至り、図示しない車輪速センサ等から入力された車速信号を調べて現在の車速をモニタする。プログラムＰ７で車速が所定値以下にあるか否か調べる。
【００１７】
車速が所定値以下にある（駐車・車庫入れ等の低速走行あるいはＵターン等の中低速走行）ことが確認されると、プログラムＰ８に至って、三相電流Ｕ相、Ｖ相、Ｗ相の電流値を最大値の８５％（最大値×√３/２）以下にするために、対応するＭＯＳＦＥＴに入力されるＰＷＭ信号のPulse  Duty：ＰDTを１５％小さくする。三相電流Ｕ相、Ｖ相、Ｗ相の電流値が最大値の８５％以下になれば、その発生電力は前述の(１)の関係から最大値の電力の７３％以下となり、発熱量がかなり低減されることが分かる。プログラムＰ３、Ｐ５、Ｐ７の各ステップで条件に達していなければすべてＰ２に戻ってこの制御は再スタートする。なおＰ５で電流値が基準値［最大値の９０％］に達したか否か判断するが、代わりに電流値の時間に対する変化を調べてその増加率等の推移から、三相電流が最大値に達する時刻を推測して事前に最大値を避けて適切な電流値にシフトするようにＰＷＭ信号のPulse  Duty：ＰDTを制御してもよい。
【００１８】
最後に、最大操舵角で三相電流が最大電流値未満になるように組み付ける電動パワーステアリング装置の生産方法について説明する。先ず電動パワーステアリング装置のパワーをＯＮにして、三相インバータからブラシレスモータに流れる三相電流をモニタできるようにする。そしてステアリングを最大操舵角の位置まで回転させて止める。このときの三相電流が所定の操舵トルクにおいて最大電流であるか否かチェックする。いずれかの電流が最大電流値にあれば、ブラシレスモータの出力ギア、あるいはブラシレスモータの回転角を検出するレゾルバ、の組み付け位置を調整して最大値から所定値オフセット（例えば電流が最大値から２０％低下した位置にシフトする、すなわち最大電流値のピーク点を操舵角に対して数十分［ギアの減速比等で定まる］の１度だけずらす）して、最大電流値未満の状態に設定する。最終的には、ステアリングを左右の最大操舵角まで回転させて、両側の最大操舵角において三相電流Ｕ相、Ｖ相、Ｗ相が最大電流値に達していないことを確認する。このようにして最大操舵角における三相電流を最大値未満にする組付けが完了する。
【図面の簡単な説明】
【００１９】
【図１】本発明の電動パワーステアリング装置のブロック構成を説明する図。
【図２】本発明の電動パワーステアリング装置の三相ＰＷＭインバータの出力の三相電流と操舵角の関係を示す図。
【図３】最大操舵角が図２のa点に来たときの三相電流Ｕ相、Ｖ相、Ｗ相の関係を説明する図。
【図４】最大操舵角が図２のｂ点に来たときの三相電流Ｕ相、Ｖ相、Ｗ相の関係を説明する図。
【図５】最大操舵角において三相電流Ｕ相、Ｖ相、Ｗ相が最大電流値未満になるように制御するためのフローチャート。
【符号の説明】
【００２０】
１  ステアリング
２  操舵角検出手段（操舵センサ、レゾルバ、トルクセンサ）
３  ブラシレスモータ
４  三相ＰＷＭインバータ（三相インバータ、ＭＯＳＦＥＴ）
５  制御装置（マイコン、デジタル制御方式）
６  コラムシャフト
１０  バッテリ
１１  ステアリングギア
θ  操舵角
ＰDT    ＰＷＭ信号のPulse  Duty
ＭＯＳ１、ＭＯＳ２、ＭＯＳ３、ＭＯＳ４、ＭＯＳ５、ＭＯＳ６  半導体素子（半導体スイッチ）
【図２】
2005289296.tif 000003
【図３】
2005289296.tif 000004
【図４】
2005289296.tif 000005
【図５】
2005289296.tif 000006
【図１】
2005289296.tif 000007